(57)【要約】【課題】  同相両ウォブルによって光ディスクのトラックにアドレス情報を記録する場合において、より簡単な検出回路によってアドレス情報を正確に検出することができるようにする。【解決手段】  グルーブによるトラックとランドによるトラックとが半径方向に交互に配置されて記録領域が形成されている一方、各グルーブには、同相両ウォブルによって情報記録がなされたアドレス情報記録領域が形成されている光ディスクであって、各グルーブは、次のように構成されている。  (a)アドレス情報記録領域には、トラック方向に並んで配置された複数の個別アドレス  情報記録部(6a)〜(6c)を含んでいること、  (b)アドレス情報記録領域における上記複数の個別アドレス情報記録部の(6a)〜(6c)上  流側に、上記複数の個別アドレス情報記録部に記録された個別アドレス情報のうち、い  ずれを選択するかを示すアドレス選択情報記録部(5)が配置されていること。【選択図】  図１
2005044481.tif 000002
【特許請求の範囲】
【請求項１】
グルーブによるトラックとランドによるトラックとが半径方向に交互に配置されて記録領域が形成されている一方、この記録領域は、半径方向に複数のバンドに分割されているとともに、同一バンド内において、周方向に複数のフレームに分割されており、かつ、各グルーブには、同相両ウォブルによって情報記録がなされたアドレス情報記録領域が形成されている光ディスクであって、
同一バンド内であって、同一フレーム内に配置された各グルーブは、次のように構成されていることを特徴とする、光ディスク。
(a)アドレス情報記録領域には、トラック方向に並んで配置された複数の個別アドレス  情報記録部を含んでいること、
(b)アドレス情報記録領域における上記複数の個別アドレス情報記録部の上流側に、上  記複数の個別アドレス情報記録部に記録された個別アドレス情報のうち、いずれを選択  するかを示すアドレス選択情報記録部が配置されていること。
【請求項２】
各グルーブにおいて、上記複数の個別アドレス情報記録部のうち２つを選択して、当該グルーブに対応する当該グルーブアドレス情報と、当該グルーブの半径方向一方側に隣接するグルーブに対応する一方側隣接グルーブアドレス情報とが記録されており、
一方側隣接グルーブアドレス情報が記録された個別アドレス情報記録部は、当該グルーブアドレス情報が記録された個別アドレス情報記録部に対し、トラック方向一方側にループ順にて隣接させられており、かつ、
当該グルーブの半径方向他方側に隣接するグルーブにおいて、当該グルーブに対応する当該グルーブアドレス情報が、当該グルーブにおける当該グルーブアドレス情報が記録された個別アドレス情報記録部と半径方向に隣接する個別アドレス情報記録部に記録されている、請求項１に記載の光ディスク。
【請求項３】
各グルーブにおいて、各個別アドレス情報記録部の上流側に隣接してリシンクパターンが同相両ウォブルによって形成されており、かつ、当該グルーブアドレス情報または一方側隣接グルーブアドレス情報が記録されていない個別アドレス情報記録部に対応するリシンクパターンは、当該グルーブアドレス情報または一方側隣接グルーブアドレス情報が記録されている個別アドレス情報記録部に対応するリシンクパターンに対して、逆位相となっている、請求項２に記載の光ディスク。
【請求項４】
グルーブによるトラックがランドを挟んで半径方向に配置されて記録領域が形成されている一方、この記録領域は、半径方向に複数のバンドに分割されているとともに、同一バンド内において、周方向に複数のフレームに分割されており、かつ、各グルーブには、同相両ウォブルによって情報記録がなされたアドレス情報記録領域が形成された光ディスクであって、
同一バンド内であって、同一フレーム内に配置されたグルーブのアドレス情報記録領域には、トラック方向に並んで配置された、上流側の第１のアドレス情報記録部と下流側の第２のアドレス情報記録部とを含んでおり、
奇数番目のグルーブにおいては、当該グルーブに対応する当該グルーブアドレス情報が、第１のアドレス情報記録部と第２のアドレス情報記録部との一方に記録されており、
偶数番目のグルーブにおいては、当該グルーブに対応する当該グルーブアドレス情報が、第1のアドレス情報記録部と第２のアドレス情報記録部との他方に記録されており、かつ、
各アドレス情報記録部の上流側に隣接して、同相両ウォブルによるシンクパターンが、すべて同一位相に形成されていることを特徴とする、光ディスク。
【請求項５】
請求項１に記載の光ディスクのアドレス情報を、グルーブに沿って集光ビームを走査させ、ラジアルプッシュプル法を用いて検出する方法であって、
個別アドレス情報記録部から検出された複数の個別アドレス情報のうち、１つの個別アドレス情報を、アドレス選択情報記録部から検出されたアドレス選択情報に基づいて選択することを特徴とする、光ディスクのアドレス情報検出方法。
【請求項６】
請求項１に記載の光ディスクのアドレス情報を、グルーブに沿って集光ビームを走査させ、ラジアルプッシュプル法を用いて検出するようにした光ディスク装置であって、個別アドレス情報記録部から検出された複数の個別アドレス情報のうち、１つの個別アドレス情報を、アドレス選択情報記録部から検出されたアドレス選択情報に基づいて選択するようにしたことを特徴とする、光ディスク装置。
【請求項７】
請求項３に記載の光ディスクのアドレス情報を、ランドに沿って集光ビームを走査せさ、ラジアルプッシュプル法を用いて検出する方法であって、
当該ランドの両側隣接グルーブのリシンクパターンが協働して当該ランドの両側に形成する両ウォブル状のリシンクパターンによって得られる出力信号をトリガとして、このリシンクパターンに後続して、両隣接グルーブの同相両ウォブルが協働して当該ランドの両側に形成する同相両ウォブル状の個別アドレス情報を検出することを特徴とする、光ディスクのアドレス情報検出方法。
【請求項８】
請求項３に記載の光ディスクのアドレス情報を、ランドに沿って集光ビームを走査せさ、ラジアルプッシュプル法を用いて検出するようにした光ディスク装置であって、
当該ランドの両側隣接グルーブのリシンクパターンが協働して当該ランドの両側に形成する両ウォブル状のリシンクパターンによって得られるリシンク出力信号をトリガとして、このリシンクパターンに後続して、両隣接グルーブの同相両ウォブルが協働して当該ランドの両側に形成する同相両ウォブル状の個別アドレス情報を検出するようにしたことを特徴とする、光ディスク装置。
【請求項９】
請求項４に記載の光ディスクのアドレス情報を、グルーブに沿ってグルーブ幅より大径の集光ビームを走査させ、ラジアルプッシュプル法を用いて検出する方法であって、
当該グルーブの両側隣接グルーブのシンクパターンを集光ビームがオーバラップして走査することによって得られるシンク出力信号に対して逆位相となる、当該グルーブのシンクパターンによって得られるシンク出力信号をトリガとして、このシンクパターンに後続するアドレス情報記録部に記録された当該グルーブアドレス情報を検出することを特徴とする、光ディスクのアドレス検出方法。
【請求項１０】
請求項４に記載の光ディスクのアドレス情報を、グルーブに沿ってグルーブ幅より大径の集光ビームを走査させ、ラジアルプッシュプル法を用いて検出するようにした光ディスク装置であって、
当該グルーブの両側隣接グルーブのシンクパターンを集光ビームがオーバラップして走査することによって得られるシンク出力信号に対して逆位相となる、当該グルーブのシンクパターンによって得られるシンク出力信号をトリガとして、このシンクパターンに後続するアドレス情報記録部に記録された当該グルーブアドレス情報を検出するようにしたことを特徴とする、光ディスク装置。
【発明の詳細な説明】
【技術分野】
【０００１】
本願発明は、光ディスクおよび光ディスク装置に関し、より詳しくは、光ディスクについてはそのフォーマット構造に、光ディスク装置については、上記フォーマット構造によって示されたアドレス情報の検出方法に特徴づけられたものに関する。なお、ここでいう光ディスクには、相変化媒体（CD-RW,DVD+RW,DVD-RW,DVD-RAM,Blu-ray Disk）や、光磁気媒体（MO,MD）、色素媒体（CD-R,DVD+R,DVD-R）、プリフォーマット媒体 (DVD-ROM,DVD-ROM)などが含まれる。
【背景技術】
【０００２】
まず、光磁気ディスクの一規格であるAS-MO（Advanced Storage Magneto Optical Disk）規格による光磁気ディスクを例にとり、そのフォーマット構造について、概要を説明する。
【０００３】
このAS-MO規格による光磁気ディスクの記録領域は、グルーブとランドとを半径方向に交互に配置しつつ、これらグルーブとランドとを外周から内周へ、あるいは内周から外周へらせん状に配置した平面構成を有している。そして、これらグルーブとランドの双方が記録・再生トラック(以下、単にトラックという。)を形成し、それぞれ1周期が1トラックとされる。図１４示すように、ディスク上の記録領域は、半径方向に複数のバンド（ゾーン）に分割されているとともに、同一バンド内において、一定中心角ごとに複数のフレームに分割されている。こうして分割された領域を、セクタという。通常、バンドは、数十トラックの集合となり、同一バンド内で1トラックは、数十のフレームに分割される。
【０００４】
図１５に示すように、各フレームには、その先頭部分にアドレスセグメントが、これに後続する部分に複数のデータセグメントが含ませられている。アドレスセグメント内のアドレス領域内には、フレーム番号、バンド番号、トラック番号を含むアドレス情報が記録されている。フレーム番号は、ディスクの周方向について割り当てられた値であり、同一バンド内で半径方向に隣接するフレームはすべて同じ値となる。バンド番号は、バンド毎に割り当てられた値であり、同一バンド内であれば、すべてのフレームで同じ値となる。トラック番号は、トラック毎に割り当てられた値であり、同一トラックであれば、すべてのフレームで同じ値となる。したがって、これらフレーム番号、バンド番号およびトラック番号により、当該セクタ内でのトラックのアドレスが規定される。
【０００５】
アドレスセグメント領域のグルーブおよびランドは、たとえば、図１６に示すように構成される。同図に表れているように、グルーブの一方の壁に蛇行形状（以下、ウォブルという。）Ｗを形成することにより、アドレス情報が記録されている。AS-MO規格では、アドレス情報のうち、トラック番号およびCRC (Cyclic Redundancy Check)を、上記一方の壁のウォブルと半径方向に重ならないように周方向にずらせつつ（以下、このようにすることをスタガという。）、同じグルーブの他方の壁にも、同じ情報が記録されている。検出時のディスクのチルトの影響などを考慮し、これらトラック番号およびＣＲＣ部を確実に検出することができるようにするためである。なお、図１５および図１６に表れているように、アドレスセグメントには、先頭から、ファインクロックマーク領域、プリバッファ領域、プリアンブル（１回目）、シンク領域、フレーム番号、バンド番号、トラック番号（１回目）、CRC (１回目)、プリアンブル（２回目）、リシンク領域、トラック番号（２回目）、CRC（２回目）、ポストバッファ領域が含ませられているが、周知のとおり、シンクおよびリシンクは、これに続くデータを読み出すトリガ信号を発生させるものであり、ファインクロックマークは、セグメントを区切るためのものである。プリアンブルは、グルーブかランドかを判別させるための信号を含ませる等のために、また、プリバッファ、ポストバッファは、適宜の目的のために挿入される。
【０００６】
ウォブル(W)によって形成されたアドレス情報の検出には、いわゆるプッシュプル法が用いられる。図１７に示すように、対物レンズ(1)からグルーブ(G)あるいはランド(L)に集光されたレーザビームの反射時にディスクの半径方向に広がる１次回折光(2)が生じ、この１次回折光(2)はディスクの半径方向に対応して配置された２分割検出器(3)に入射する。集光スポットがトラックの中心であれば、半径方向につき対称な１次回折光分布が得られ、検出器の差分信号は０となる。集光スポットがトラックから半径方向（トラックの幅方向）にずれていれば、差分信号は０ではなくなる。この差分信号がプッシュプル信号であり、ウォブルはこのような半径方向についてのプッシュプル信号、すなわちラジアルプッシュプル信号によって検出される。
【０００７】
上記のようにウォブルによるフォーマットパターンの形成は、フォトレジストを塗布したガラス原盤を回転させ、かつこのガラス原盤を半径方向に移動させながら上記のフォトレジストをレーザビームで露光し、かつ現像することによって形成されるが、上記のように同一のグルーブにウォブルをスタガ状に形成する場合には、グルーブの一方または他方の壁にのみウォブルを形成する、すなわち片ウォブルを形成することから、独立して変調、偏向可能な２本のレーザビームを用いる必要がある。
【０００８】
トラックピッチが０．６μｍ程度の場合には、赤色レーザダイオード（λ＝640nm程度）による２本のレーザビームによる片ウォブルの形成は問題なく行なえるが、記録密度を高めるためにトラックピッチをたとえば０．３μｍ程度にしようとしても、露光用のレーザビームによる露光スポットの強度分布が影響して、片ウォブルの形成は不可能である。
【０００９】
片ウォブルを形成するべく、２本のレーザビームを用いながら、よりトラックピッチを縮めるためには、露光スポットをより小さくできる青色レーザダイオード（λ＝405nm程度）を用いざるをえない。この場合、検出用のレーザ光源としても、青色レーザダイオードを用いることになるが、青色レーザダイオードは検出器の感度が低く、雑音も大きいため、片ウォブルでは十分なS/Nを得ることができない。
【００１０】
本願の出願人は、片ウォブルによりアドレス情報を記録する場合の上記のような問題を解消するべく、グルーブの両方の壁に同相のウォブル（以下、同相両ウォブルという。）を形成しつつ、グルーブにおいても、ランドにおいても、問題なくアドレス情報を検出することができるようにしたフォーマット構造を提案した（PCT/JP03/03555）。以下、このフォーマット構造の概要を図１８よび図１９を参照して説明し、本願発明が解決しようとする課題に及ぶこととする。
【００１１】
図１８において、各トラックのアドレス領域は、集光スポットの移動方向の順に、第１部分(4a)、第２部分(4b)、第３部分(4c)に分割されている。各グルーブ(G・n)〜(G・n+4)には、当該グルーブを示すアドレス情報と、当該グルーブに半径方向に隣接する１つ前のグルーブに対応するアドレス情報とが、上記第１〜第３部分(4a),(4b),(4c)のうちの２つの部分を選択して同相両ウォブルにより形成されている。各グルーブに形成される上記のアドレス情報を上記第１〜第３部分のいずれに形成するかは、次の規則によっている。すなわち、第１に、当該グルーブに形成された当該グルーブに対応するアドレス情報と同一のアドレス情報が、当該グルーブに半径方向に隣接する次のグルーブに、当該グルーブに対応するアドレス情報が形成されたアドレス領域部分と同じアドレス領域部分に形成される。第２に、当該グルーブに形成される上記１つ前のグルーブに対応するアドレス情報が記録されたアドレス領域部分は、当該グルーブのアドレス情報が形成されたアドレス領域部分に対し、トラック方向について定められた一定方向（上流方向または下流方向）に隣接して形成される。図１８に示した例では、上記したように、アドレス領域部分は第１〜第３部分の３箇所であるので、トラックの上流側に数えると、第３部分(4c) →第２部分(4b)→第１部分(4a)→第３部分(4c)といった順番となり、下流側に数えると、第１部分(4a)→第２部分(4b)→第３部分(4c)→第１部分(4a)といった順番となる。図に示す例では、当該グルーブに形成される上記１つ前のグルーブに対応するアドレス情報が記録されたアドレス領域部分は、当該グルーブのアドレス情報が形成されたアドレス領域部分に対し、下流側に隣接している。
【００１２】
ｎ番目のグルーブ（G・n）に注目すると、当該グルーブに対応するアドレス情報(n)はアドレス領域の第３部分(4c)に形成されているとともに、当該グルーブ(G・n)の１つ前のグルーブ(G・n-1)に対応するアドレス情報（n-1）はアドレス領域の第１部分(4a)に形成されることになる。ｎ＋１番目のグルーブ（G・n+1）に注目すると、グルーブ (G・n)に対応するアドレス情報と同じアドレス情報(n)が、グルーブ (G・n)と同じくアドレス領域の第３部分(4c)に形成され、グルーブ(G・n+1)と対応するアドレス情報(n+1)は、上記アドレス情報(n)に対してトラックの上流方向に隣接するアドレス領域の第２部分(4b)に形成されている。これは、グルーブ (G・n+1)と対応するアドレス情報(n+1)からみれば、1つ前のグルーブ(G・n)に対応するアドレス情報(n)が、上記アドレス情報(n+1)に対してトラックの下流側に隣接したアドレス領域部分に形成されているのと同義となる。
【００１３】
上記のフォーマット構造において、グルーブに沿って集光スポット(S)が移動することにより、２つのアドレス情報が検出されるが、それらのうちのトラック番号の大きい方を選択することにより、当該グルーブに与えられたアドレス情報を検出することができる。また、上記のように、半径方向に隣接するグルーブに同一のアドレス情報が形成されているアドレス領域部分が存在することから、これらのグルーブに挟まれたランドの両側に同相のウォブルが形成されることになる。また、ランドにおける他のアドレス領域部分には、これに隣接するグルーブのウォブルによる片ウォブルが形成されることになる。たとえば、図１８においてｎ番目のランド（L・n）に沿って集光スポット(S)が移動する場合、アドレス領域の第１部分(4a)と第２部分(4b)とは片ウォブルによる比較的小さな出力信号が、第３部分(4c)では同相両ウォブルによる比較的大きな出力信号が得られる。図１９に示すように、複数のスライスレベルを設定することにより、アドレス領域の第３部分(4c)に形成された、ランド(L・n)に対応するアドレス情報(n)を検出することができる。そうして、アドレス情報は同相両ウォブルであるので、１本のレーザビームによって形成することができ、トラックピッチをより縮小することができる。また、同相両ウォブルの場合、片ウォブルに比較し、大きな検出信号を得ることができ、検出用の光源として青色レーザダイオードを用いたとしても、十分なS/Nを得ることができる。
【００１４】
しかしながら、図１８に示したフォーマット構造においても、なお、次のような不具合がある。
【００１５】
第１に、グルーブにおいては、必ず複数のアドレス情報を確実に検出する必要があるため、検出確率が低下してしまう。
【００１６】
第２に、ランドでは、片ウォブルを無視するためのスライスレベル（Slice-A）と、データを検出するためのスライスレベル(Slice-0)というように、複数のスライスレベルを設定する必要があるため、AGC (Auto Gain Control)を用いて信号レベルが常に一定となるようにしたり、確実に両ウォブル部と片ウォブル部の信号振幅の差がでるようにする必要があり、検出系の回路やその制御が複雑化する。
【００１７】
上記から判るように、同相両ウォブルにより情報記録をした場合、トラックピッチを縮小することができるとともに、検出信号のS/Nを高めることができる。しかしながら、たとえば、図２０に示すように、同相両ウォブルによるグルーブあるいはランドのみによって記録再生をするようにディスクあるいはディスク装置を構成する場合において、集光スポット(S) がトラックピッチ(P)よりも大きい場合には、隣接トラックのアドレス情報がクロストークしてしまい、当該トラックのアドレス情報を正しく検出することが困難となる。このことを解決するためには、データを検出するためのスライスレベルを適正に設定するなど、検出系の回路やその制御が複雑化する。
【発明の開示】
【発明が解決しようとする課題】
【００１８】
したがって、本願発明は、同相両ウォブルによって光ディスクのトラックにアドレス情報を記録する場合において、より簡単な検出回路によってアドレス情報を正確に検出することができるようにすることをその課題とする。
【課題を解決するための手段】
【００１９】
上記の課題を解決するため本願発明では、次の技術的手段を採用した。
【００２０】
本願発明の第１の側面によって提供される光ディスクは、グルーブによるトラックとランドによるトラックとが半径方向に交互に配置されて記録領域が形成されている一方、この記録領域は、半径方向に複数のバンドに分割されているとともに、同一バンド内において、周方向に複数のフレームに分割されており、かつ、各グルーブには、同相両ウォブルによって情報記録がなされたアドレス情報記録領域が形成されている光ディスクであって、
同一バンド内であって、同一フレーム内に配置された各グルーブは、次のように構成されていることを特徴としている。
(a)アドレス情報記録領域には、トラック方向に並んで配置された複数の個別アドレス  情報記録部を含んでいること、
(b)アドレス情報記録領域における上記複数の個別アドレス情報記録部の上流側に、上  記複数の個別アドレス情報記録部に記録された個別アドレス情報のうち、いずれを選択  するかを示すアドレス選択情報記録部が配置されていること。
【００２１】
好ましい実施の形態においては、各グルーブにおいて、上記複数の個別アドレス情報記録部のうち２つを選択して、当該グルーブに対応する当該グルーブアドレス情報と、当該グルーブの半径方向一方側に隣接するグルーブに対応する一方側隣接グルーブアドレス情報とが記録されており、
一方側隣接グルーブアドレス情報が記録された個別アドレス情報記録部は、当該グルーブアドレス情報が記録された個別アドレス情報記録部に対し、トラック方向一方側にループ順にて隣接させられており、かつ、
当該グルーブの半径方向他方側に隣接するグルーブにおいて、当該グルーブに対応する当該グルーブアドレス情報が、当該グルーブにおける当該グルーブアドレス情報が記録された個別アドレス情報記録部と半径方向に隣接する個別アドレス情報記録部に記録されている。
【００２２】
好ましい実施の形態においてはまた、各グルーブにおいて、各個別アドレス情報記録部の上流側に隣接してリシンクパターンが同相両ウォブルによって形成されており、かつ、当該グルーブアドレス情報または一方側隣接グルーブアドレス情報が記録されていない個別アドレス情報記録部に対応するリシンクパターンは、当該グルーブアドレス情報または一方側隣接グルーブアドレス情報が記録されている個別アドレス情報記録部に対応するリシンクパターンに対して、逆位相となっている。
【００２３】
好ましい実施の形態においてはさらに、当該グルーブアドレス情報または一方側隣接グルーブアドレス情報が記録されていない個別アドレス情報記録部には、当該グルーブアドレス情報または一方側隣接グルーブアドレス情報とは無関係な同相両ウォブルパターンが形成されている。
【００２４】
好ましい実施の形態においてはまた、当該グルーブアドレス情報または一方側隣接グルーブアドレス情報とは無関係な同相両ウォブルパターンは、当該グルーブに対して半径方向他方側に隣接するグルーブに対応する他方側隣接グルーブアドレス情報が位相を反転して記録されたものである。
【００２５】
好ましい実施の形態においてはさらに、各グルーブにおけるアドレス情報記録領域の冒頭部分には、フレーム情報、バンド情報を含む共通アドレス情報が記録されている一方、複数の個別アドレス情報記録部には、少なくともトラック情報が記録されている。
【００２６】
本願発明の第２の側面によって提供される光ディスクは、グルーブによるトラックがランドを挟んで半径方向に配置されて記録領域が形成されている一方、この記録領域は、半径方向に複数のバンドに分割されているとともに、同一バンド内において、周方向に複数のフレームに分割されており、かつ、各グルーブには、同相両ウォブルによって情報記録がなされたアドレス情報記録領域が形成された光ディスクであって、
同一バンド内であって、同一フレーム内に配置されたグルーブのアドレス情報記録領域には、トラック方向に並んで配置された、上流側の第１のアドレス情報記録部と下流側の第２のアドレス情報記録部とを含んでおり、
奇数番目のグルーブにおいては、当該グルーブに対応する当該グルーブアドレス情報が、第１のアドレス情報記録部と第２のアドレス情報記録部との一方に記録されており、
偶数番目のグルーブにおいては、当該グルーブに対応する当該グルーブアドレス情報が、第1のアドレス情報記録部と第２のアドレス情報記録部との他方に記録されており、かつ、
各アドレス情報記録部の上流側に隣接して、同相両ウォブルによるシンクパターンが、すべて同一位相に形成されていることを特徴としている。
【００２７】
好ましい実施の形態においては、グルーブアドレス情報が記録された第１のアドレス情報記録部には、少なくともトラック情報を含む個別アドレス情報が記録されているとともに、この第１のアドレス情報記録部の上流側には、フレーム情報、バンド情報を含む共通アドレス情報が記録されている一方、グルーブアドレス情報が記録された第２のアドレス情報記録部には、少なくともトラック情報を含む個別アドレス情報が記録されている。
【００２８】
本願発明の第３の側面によって提供される光ディスクのアドレス情報検出方法は、本願発明の第１の側面に係る光ディスクのアドレス情報を、グルーブに沿って集光ビームを走査させ、ラジアルプッシュプル法を用いて検出する方法であって、
個別アドレス情報記録部から検出された複数の個別アドレス情報のうち、１つの個別アドレス情報を、アドレス選択情報記録部から検出されたアドレス選択情報に基づいて選択することを特徴としている。
【００２９】
本願発明の第４の側面によって提供される光ディスク装置は、本願の第１の側面に係る光ディスクのアドレス情報を、グルーブに沿って集光ビームを走査させ、ラジアルプッシュプル法を用いて検出するようにした光ディスク装置であって、個別アドレス情報記録部から検出された複数の個別アドレス情報のうち、１つの個別アドレス情報を、アドレス選択情報記録部から検出されたアドレス選択情報に基づいて選択するようにしたことを特徴としている。
【００３０】
本願発明の第５の側面によって提供される光ディスクのアドレス情報検出方法は、本願発明の第１の側面に係る光ディスクのアドレス情報を、ランドに沿って集光ビームを走査せさ、ラジアルプッシュプル法を用いて検出する方法であって、
当該ランドの両側隣接グルーブのリシンクパターンが協働して当該ランドの両側に形成する両ウォブル状のリシンクパターンによって得られる出力信号をトリガとして、このリシンクパターンに後続して、両隣接グルーブの同相両ウォブルが協働して当該ランドの両側に形成する同相両ウォブル状の個別アドレス情報を検出することを特徴としている。
【００３１】
本願発明の第６の側面によって提供される光ディスク装置は、本願発明の第１の側面に係る光ディスクのアドレス情報を、ランドに沿って集光ビームを走査せさ、ラジアルプッシュプル法を用いて検出するようにした光ディスク装置であって、
当該ランドの両側隣接グルーブのリシンクパターンが協働して当該ランドの両側に形成する両ウォブル状のリシンクパターンによって得られるリシンク出力信号をトリガとして、このリシンクパターンに後続して、両隣接グルーブの同相両ウォブルが協働して当該ランドの両側に形成する同相両ウォブル状の個別アドレス情報を検出するようにしたことを特徴としている。
【００３２】
本願発明の第７の側面によって提供される光ディスクのアドレス情報検出方法は、本願発明の第３の側面に係る光ディスクのアドレス情報を、グルーブに沿ってグルーブ幅より大径の集光ビームを走査させ、ラジアルプッシュプル法を用いて検出する方法であって、
当該グルーブの両側隣接グルーブのシンクパターンを集光ビームがオーバラップして走査することによって得られるシンク出力信号に対して逆位相となる、当該グルーブのシンクパターンによって得られるシンク出力信号をトリガとして、このシンクパターンに後続するアドレス情報記録部に記録された当該グルーブアドレス情報を検出することを特徴としている。
【００３３】
本願発明の第８の側面によって提供される光ディスク装置は、本願発明の第３の側面に係る光ディスクのアドレス情報を、グルーブに沿ってグルーブ幅より大径の集光ビームを走査させ、ラジアルプッシュプル法を用いて検出するようにした光ディスク装置であって、
当該グルーブの両側隣接グルーブのシンクパターンを集光ビームがオーバラップして走査することによって得られるシンク出力信号に対して逆位相となる、当該グルーブのシンクパターンによって得られるシンク出力信号をトリガとして、このシンクパターンに後続するアドレス情報記録部に記録された当該グルーブアドレス情報を検出するようにしたことを特徴としている。
【００３４】
本願発明のその他の特徴および利点は、図面を参照して以下に行なう詳細な説明から、より明らかとなろう。
【発明を実施するための最良の形態】
【００３５】
本願発明に係る光ディスクは、すでに図１４を参照して説明したのと同様の平面構成を備えている。すなわち、この光ディスクは、グルーブによるトラックとランドによるトラックとがディスクの半径方向に交互に配置されて記録領域が形成されている。このようなグルーブによるトラックとランドによるトラックとは、らせん状に配置される場合もあるし、同心円状に配置される場合もある。記録領域は、半径方向に数十のバンドに分割されており、各バンド内において、周方向に複数のフレームに分割されている。トラックをフレーム単位でみれば、これに形成される記録領域は、たとえば図１５を参照してすでに説明したものと同様とすることができる。すなわち、各フレームには、その先頭部分にアドレスセグメントが、これに後続する部分に複数のデータセグメントが含ませられている。アドレスセグメントには、当該フレームのトラックのアドレス情報等があらかじめ固定的に記録される。データセグメントは、ユーザが光ディスク装置を用いて適宜情報を記録することができる領域である。アドレスセグメント内のアドレス領域には、フレーム番号等のフレーム情報、バンド番号等のバンド情報、トラック番号等のトラック情報を含むアドレス情報が記録されている。
【００３６】
本願発明に係る光ディスクは、アドレス情報のデータフォーマット構造に特徴づけられる。図１は、本願発明に係る光ディスクの第１の実施形態を模式的に示している。同図においては、同一バンド内であって、同一フレーム内に配置された複数のグルーブ(G・n)〜(G・n+4)、およびランド(L・n)〜(L・n+3)を示しており、上下方向がディスクの半径方向と対応している。ディスクの半径方向一方側から順に番号を与えられた複数のグルーブ（G・n）〜(G・n+4)と、同じくディスクの半径方向一方側から順に番号を与えられた複数のランド(L・n)〜(L・n+3)とが、交互に配列されている。
【００３７】
各グルーブ(G・n)〜(G・n+4)には、その先頭から、プリアンブルパターン(PA)、シンクパターン(SY)、共通アドレス情報記録部(5)、アドレス選択情報記録部(TN CTRL)、第１リシンクパターン(RS1)、第１個別アドレス情報記録部(6a)、第２リシンクパターン(RS2)、第２個別アドレス情報記録部(6b)、第３リシンクパターン(RS3)、および第３個別アドレス情報記録部(6c)が、それぞれ各グルーブについてのものがディスクの半径方向に並ぶようにして、この順で配置されている。そして、これら、プリアンブルパターン(PA)、シンクパターン(SY)、共通アドレス情報記録部(5)、アドレス選択情報記録部(TN CTRL)、第１リシンクパターン(RS1)、第１個別アドレス情報記録部(6a)、第２リシンクパターン(RS2)、第２個別アドレス情報記録部(6b)、第３リシンクパターン(RS3)、および第３個別アドレス情報記録部(6c)に形成されたウォブルパターンは、すべて、同相両ウォブルである。
【００３８】
プリアンブルパターン(PA)、シンクパターン(SY)は、すべてのグルーブ(G・n)〜(G・n+4)について、位相が揃えられている。したがって、２つのグルーブによって挟まれたランドの両側に形成される両ウォブル状のパターンもまた、グルーブについてのものと同様となる。各グルーブ(G・n)〜(G・n+4)の共通アドレス情報記録部(5)には、これらのグルーブについて共通のフレーム情報（FN）およびバンド情報(BN)を含む同一の共通アドレス情報が同相両ウォブルによって形成されている。したがって、２つのグルーブによって挟まれたランドの両側に形成される両ウォブル状のパターンもまた、各グルーブ(G・n)〜(G・n+4)における共通アドレス情報記録部(5)に形成された両ウォブルと同じ、同相両ウォブル状のパターンとなる。
【００３９】
各グルーブ(G・n)〜(G・n+4)における第１〜第３個別アドレス情報記録部(6a)〜(6c)には、以下に説明する規則性をもって、トラック番号等のトラック情報（TN）およびCRC等からなる個別アドレス情報が同相両ウォブルにより記録される。
【００４０】
各グルーブ(G・n)〜(G・n+4)において、いずれかの個別アドレス情報記録部(6a)〜(6c)に当該グルーブに対応するグルーブアドレス情報が記録され（グルーブ(G・n+1)では第２個別アドレス情報記録部(6b)にグルーブアドレス情報(n+1)が記録される。）、この個別アドレス情報記録部に対してトラック方向一方側（図１では下流側）にループ順で隣接する個別アドレス情報記録部に当該グルーブの半径方向一方側（図１では下側）に隣接するグルーブに対応する一方側隣接グルーブアドレス情報が記録され（グルーブ(G・n+1)では第３個別アドレス情報記録部(6c)にグルーブアドレス情報(n)が記録される。）、当該グルーブの半径方向他方側（図1では上側）に隣接するグルーブにおいて、当該グルーブに対応するグルーブアドレス情報が、当該グルーブにおける当該グルーブアドレス情報が記録された個別アドレス情報記録部と半径方向に隣接する個別アドレス情報記録部に記録される（グルーブ(G・n+2)において、グルーブ(G・n+1)と同様、第２個別アドレス情報記録部(6b)にグルーブアドレス情報(n+1)が記録される。）。
【００４１】
したがって、たとえば、グルーブ(G・n)とグルーブ(G・n+1)についていえば、いずれも第３個別アドレス情報記録部(6c)に同一のグルーブアドレス情報(n)が同相両ウォブルによって記録されるので、これらのグルーブ(G・n)とグルーブ(G・n+1)とに挟まれるランド(L・n)についても、第３個別アドレス情報記録部(6c)に、同一の両ウォブルパターン状のランドアドレス情報(n)が形成されることになる。このことは、どの隣接するグルーブについても同様にいえる。
【００４２】
上記から判るように、グルーブ(G・n)〜(G・n+4)に集光スポット(S)を図１の右方へ向けて走査させ、プッシュプル法によって情報の検出を行なうと、第１〜第３個別アドレス情報記録部(6a)〜(6c)のいずれか２つに記録された２つのグルーブアドレス情報が検出されることになる。アドレス選択情報記録部(TN CTRL)には、このように検出された２つのグルーブアドレス情報のうち、いずれを選択させるかを示す情報が記録される。図２には、このアドレス選択情報記録部(TN CTRL)に形成される、アドレス選択情報を示す３つの同相両ウォブルパターン例が示されている。これらのウォブルパターンは、トラック方向について互いに異なる部位のウォブル周期を変化させている。これにより、３つのパターンの判別が可能となり、たとえば、パターンＡは、第１個別アドレス情報記録部(6a)に記録されたグルーブアドレス情報を選択すべきを指示し、パターンＢは、第２個別アドレス情報記録部(6b)に記録されたグルーブアドレス情報を選択すべきを指示し、パターンＣは、第３個別アドレス情報記録部(6c)に記録されたグルーブアドレス情報を選択すべきを指示するといったように用いられる。当然に、当該グルーブに対応するグルーブアドレス情報が記録された個別アドレス情報記録部を選択するべく指示がなされるのであって、たとえば、グルーブ(G・n+1)についていえば、第２個別アドレス情報記録部(6b)に記録されたグルーブアドレス情報(n)を選択するべきを示す情報が、このアドレス選択情報記録部(TN CTRL)に記録される。
【００４３】
第１個別アドレス情報記録部(6a)、第２個別アドレス情報記録部(6b)、および第３個別アドレス情報記録部(6c)のそれぞれのトラック方向上流側に隣接して、第１リシンクパターン(RS1)、第２リシンクパターン(RS2)、および第３リシンクパターン(RS3)がそれぞれ同相両ウォブルによって形成されている。これらのリシンクパターンは、以下に説明する規則性をもって形成されている。
【００４４】
いずれかのグルーブアドレス情報が記録されている個別アドレス情報記録部（たとえば、グルーブ(G・n+1)については、第２個別アドレス情報記録部(6b)および第３個別アドレス情報記録部(6c)）に先立つリシンクパターンは、すべて同一位相の同一パターンとされており、いずれのグルーブアドレス情報も記録されていない個別アドレス情報記録部（たとえば、グルーブ(G・n+1)については、第１個別アドレス情報記録部(6a)）に先立つリシンクパターンは、他のリシンクパターンに対して逆位相のパターンとされる。
【００４５】
その結果、図１に表れているように、各ランド(L・n)〜(L・n+3)において、同相両ウォブル状のパターンとなっている個別アドレス情報記録部（ランド(L・n)については第３個別アドレス情報記録部(6c)）に先行するリシンクパターン（ランド(L・n)については第３リシンクパターン(RS3)）は同相両ウォブル状となるにのに対し、片ウォブル状のパターンとなっている個別アドレス情報記録部（ランド(L・n)については第１個別アドレス情報記録部(6a)および第２個別アドレス情報記録部(6b)）に先行するリシンクパターン（ランド(L・n)については第１および第２リシンクパターン(RS1),(RS2)）は逆相両ウォブル状となる。図３に示すように、リシンクパターンが同相両ウォブルである場合には、プッシュプル信号が発生するが、逆相両ウォブルである場合にはプッシュプル信号は発生しない。
【００４６】
以上のことから、たとえば、ランド(L・n)に沿って集光スポット(S)が走査する場合、図４に示すようなプッシュプル出力信号が得られるが、第１リシンクパターン(RS1)、および第２リシンクパターン(RS2)によってはプッシュプル信号が発生せず、第３リシンクパターン(RS3)についてのみ、プッシュプル信号が発生する。したがって、この第３リシンクパターン(RS3)による信号をトリガとして、これに後続する第３個別アドレス情報記録部(6c)のアドレス情報を読み出すようにすることにより、図４に示されるプッシュプル出力信号から目的の信号を選別するために複数のスライスラインを設定するといった複雑な回路構成を採用するまでもなく、当該ランド(L・n)に対応するランドアドレス信号(n)を正確に検出することができる。
【００４７】
なお、この第１の実施形態に係る光ディスクは、各グルーブ(G・n)〜(G・n+4)において、共通アドレス情報(FN),(BN)をまとめて記録し、第１〜第３個別アドレス情報記録部(6a)〜(6c)には、トラック情報(TN)およびCRCを記録するようにしているので、第１〜第３個別アドレス情報記録部(6a)〜(6c)にそれぞれ共通アドレス情報を含ませることに比較し、ディスク上のアドレス記録に用いる領域を節約することができる利点を有する。
【００４８】
上記光ディスクの記録再生を行なうためのディスク装置の一例を図５に模式的に示す。光学ヘッド(PU)で得られた再生データは、アナログゲインコントロール回路(AGC)、アナログイコライザ回路(A-EQ)、アナログ・デジタル変換器(A/D)、デジタルイコライザ回路(D-EQ)、最大復号器(ML)等を経て光ディスクコントローラ(ODC)に供される。光学ヘッド(PU)で得られたタンジェンシャルプッシュプル信号(Tpp)は、アナログゲインコントロール回路(AGC)およびファインクロックマーク検出回路(7)を経て位相同期回路(PLL)に供給され、これにより、ディスク上のトラックに適宜形成されたファインクロックマーク(図１においては省略)を検出して得られたクロック信号を生成する。光学ヘッド(PU)で得られたラジアルプッシュプル信号(Rpp)は、アナログゲインコントロール回路(AGC)を経てアドレス検出回路(8)に供される。アドレス検出回路(8)には、バンドパスフィルタ(BPF)、比較器(9)、アドレスマーク検出回路(10)を備える。アドレスマーク検出回路(10)によって得られた信号は、アドレス検出論理回路(11)に供されて、アドレスデータが確定され、光ディスクコントローラ(ODC)に供される。そうして、この光ディスクコントローラ(ODC)においてデータがデコードされて最終的なアドレス情報が得られる。上記のようにタンジェンシャルプッシュプル信号(Tpp)およびラジアルプッシュプル信号(Rpp)を得るため、光学ヘッドに設けられた検出器は、図５に示されているような、領域Ａ，Ｂ，Ｃ，Ｄを有する４分割検出器(12)となっている。この４分割検出器(12)によって得られた信号を公知の演算手法により演算することにより、上記のタンジェンシャルプッシュプル信号(Tpp)およびラジアルプッシュプル信号(Rpp)が得られる。
【００４９】
本願発明は、上に例示した光ディスクから得られるラジアルプッシュプル信号(Rpp)に基づいて、アドレス情報を確定するべく上記アドレス検出論理回路(11)によってなされる信号処理方法にも特徴づけられる。
【００５０】
図６は、図１に示した光ディスクのグルーブ(G・n)に集光スポット(S)を走査させてこのグルーブ(G・n)に対応するグルーブアドレス情報(n)を検出するための、論理回路のタイミングチャートを示す。
【００５１】
論理回路は、シンク(SY)を検出してこれに後続するデータがアドレス情報であることを認識し、検出動作を開始する。シンク検出パルスをトリガにして、共通アドレス情報検出ゲートを適当期間開き、共通アドレス情報記録部(5)に記録された共通アドレス情報を検出する。次にアドレス選択情報記録部(TN CTRL)を検出し、どの個別アドレス情報記録部(6a)〜(6c)の検出を選択するかの検出を行なう。このアドレス選択情報記録部(TN CTRL)の検出のためのゲートは、上記のシンク検出パルスからクロックパルスをカウントした所定のタイミングによって開く。その結果に基づいて、リシンク用のゲートを作成し、そのゲート内に検出されたリシンク検出パルスにより、このリシンク（図６の場合、当該グルーブ(G・n)に対応するアドレス情報(n)が記録された第３個別アドレス情報記録部(6c)に先行する第３リシンク(RS3)）に後続する個別アドレス情報記録部のためのゲートを開き、同アドレス情報記録部のアドレス情報を検出する。なお、図６から判るように、アドレス情報が記録されている個別アドレス情報記録部 (図６の場合、第１および第３個別アドレス情報記録部(6a),(6c))に先行するリシンクパターン(RS1,RS3)は、正方向となっている一方、アドレス情報が記録されていない個別アドレス情報記録部(図６の場合、第２個別アドレス情報記録部(6b))に先行するリシンクパターン(RS2)は位相が反転されて逆方向となっている。したがって、仮に、アドレス選択情報記録部(TN CTRL)の検出に失敗した場合であっても、正方向のリシンクパターン(RS1),(RS2)をトリガにして第１および第３個別アドレス情報記録部(6a),(6c)のアドレス情報を検出して、そのうちのトラック情報(TN)の大きい方のアドレス情報(n)を採用するという手法を併用することにより、確度の高いアドレス情報検出を行なうことができる。
【００５２】
図７は、図１に示した光ディスクのランド(L・n)に集光スポット(S)を走査させてこのランド(L・n)に対応するランドアドレス情報(n)を検出するための、論理回路のタイミングチャートを示す。
【００５３】
シンク(SY)を検出してアドレスであることを認識し、検出動作を開始し、シンク検出パルスをトリガにして共通アドレス情報検出ゲートを開き、共通アドレス情報を検出する点は、グルーブについて図６を参照して上述したのと同様である。その後、リシンクパターンの検出を行ない、そのリシンクパルスをトリガにして、検出されたリシンク(RS3)に後続する個別アドレス情報記録部のためのゲートを開き、同アドレス情報記録部のアドレス情報を検出する。図７の場合、第１リシンクパターン(RS1)と第２リシンクパターン(RS2)は逆相両ウォブル状であるため、プッシュプル法では検出されず、同相両ウォブル状である第３リシンクパターン(RS3)のみが検出される。したがって、第１個別アドレス情報記録部(6a)および第２個別アドレス情報記録部(6b)は、片ウォブル状となっているため、プッシュプル法による信号が出力されるが、かかる信号は、本願発明に係る信号処理方法では採択されない。なお、ランドにおける検出では、アドレス選択情報記録部(TN CTRL)に記録された情報は用いない。
【００５４】
このように、上記したアドレス情報の検出方法によれば、グルーブアドレスの検出においては、同一グルーブに複数の個別アドレス情報が記録されていたとしても、アドレス選択情報によって選択された個別アドレス情報のみを検出すればよいので、複数の個別アドレス情報を確実に検出せねばならない場合に比較し、アドレス情報検出の確実性が高められる。
【００５５】
また、ランドアドレスの検出においては、リシンクをトリガとして、目的とする個別アドレス情報のみを検出するので、信号レベルの異なる複数の個別アドレス情報から目的とする個別アドレス情報を抽出する場合のような、複数のスライスラインを設定するといった複雑な回路や制御が必要なくなる。
【００５６】
図８は、本願発明に係る光ディスクの第２の実施形態を模式的に示している。この第２の実施形態では、図１に示した第１の実施形態に対して次の点が異なっている。
【００５７】
すなわち、図１に示した第１の実施形態において、いずれのアドレス情報も記録されていなかった個別アドレス情報記録部（たとえば、グルーブ(G・n)では第２個別アドレス情報記録部(6b)、グルーブ(G・n+1)では第１個別アドレス情報記録部(6a)）に、当該グルーブに記録されたアドレス情報とは無関係な同相両ウォブルパターンが形成されている。このような同相両ウォブルパターンとして、この実施形態では、当該グルーブに対して半径方向他方側（図８の上側）に隣接するグルーブに対応するアドレス情報の位相を反転したものが利用されている（たとえば、グルーブ(G・n+1)の第１個別アドレス情報記録部(6a)には、グルーブ(G・n+2)に対応するアドレス情報を示すパターンを反転したもの(*n+2)が形成されている。その余の構成は、図１に示したものと同様である。
【００５８】
図８に示した構成の光ディスクにおいて、グルーブアドレス情報を検出するにあたっては、アドレス選択情報によって選択された個別アドレス情報記録部のアドレス情報のみを検出するという、図６を参照して説明したのと同様の信号処理方法よって目的のグルーブアドレス情報を得ることができることは、容易に理解されよう。
【００５９】
そうして、図８に示した構成の光ディスクにおいて、ランドアドレス情報を検出するにあたっては、リシンク(RS1),(RS2),(RS3)をトリガとして、図７を参照して説明したのと同様の信号処理方法によって目的のランドアドレス情報を得ることができることも、容易に理解されよう。
【００６０】
しかしながら、この第２の実施形態では、次のような信号処理手法を併用することにより、より確実にランドアドレス情報を検出することができる。
【００６１】
図９は、図８におけるランド(L・n+2)に集光スポット(S)を走査させた場合のプッシュプル信号出力パターンを示している。第２個別アドレス情報記録部(6b)の出力パターンは、同第２個別アドレス情報記録部(6b)の一方側がグルーブ(G・n+1)に対応するパターン(n+1)であり、他方側がグルーブ(G・n+4)に対応するパターンを反転させたパターン(*n+4)であるため、これらのパターンの位相の異なる部分のみ出力された異形のパターンとなる。また、第３個別アドレス情報記録部(6c)の出力は、同第３個別アドレス情報記録部(6c)の一方側がグルーブ(G・n+3)に対応するパターン(n+3)であり、他方側がこれを反転させたパターン(*n+3)であるため、これらが互いに相殺されて、ほぼ０となる。各個別アドレス情報記録部(6a)〜(6c)には、CRCも記録されていて、誤りチェックが行なわれることから、上記の場合の第２個別アドレス情報記録部(6b)の出力パターンは、ＮＧとなる。結局、第１〜第３個別アドレス情報記録部(6a)〜(6c)から、目的とするランドアドレス情報のみをほぼ確実に検出することができる。
【００６２】
図１０は、本願発明に係る光ディスクの第３の実施形態を模式的に示している。同図においてもやはり、同一バンド内であって、同一フレーム内に配置された複数のグルーブ(G・n-1)〜(G・n+2)が示されている。この実施形態では、ランドに相当する部分の幅が狭く、このランドが記録トラックを形成することはない。各グルーブ(G・n-1)〜(G・n+2)には、トラック方向上流側の第１のアドレス情報記録部(13a)と、下流側の第２のアドレス情報記録部(13b)とが形成されている。各アドレス情報記録部(13a),(13b)には、それぞれ、先頭から、プリアンブル(PA)、シンク(SY) に後続して、アドレス情報を形成するフレーム情報(FN)、バンド情報(BN)、トラック情報(TN)が記録され、さらにCRCが付加的に記録されうるが、この実施形態では、たとえば、奇数番目のグルーブ（たとえばグルーブ(G・n)、グルーブ(G・n+2)）については、第１のアドレス情報記録部に上記の各情報が同相両ウォブルによって記録され、偶数番目のグルーブ(たとえばグルーブ(G・n-1)、グルーブ(G・n+1))については、第２のアドレス情報記録部(13b)に上記の各情報が同相両ウォブルによって記録されている。なお、第１のアドレス情報記録部(13a)および第２のアドレス情報記録部(13b)に共通する情報のウォブルは、互いに同一、かつ同位相である。
【００６３】
ここで、たとえば、グルーブ(G・n)にトラックピッチよりも径の大きい集光スポットを走査させた場合に得られるプッシュプル出力信号についてみると、図１１に示したの論理回路のタイミングチャートに表れているように、第１のアドレス情報記録部(13a)については、グルーブの両側に形成されたウォブルによるプッシュプル信号が得られ、第２のアドレス情報記録部(13b)については、当該グルーブ(G・n)の両側にはウォブルが形成されていなくとも、その両隣のグルーブ(G・n-1),(G・n+1)に形成されたウォブルによるプッシュプル信号が得られる。アドレス情報検出のトリガとなるべきシンク(SY)に注目すると、当該グルーブ(G・n)の両側のランド幅の変化が第１のアドレス情報記録部(13a)と第２のアドレス情報記録部(13b)とで逆相となる。したがって、シンク(SY)のプッシュプル出力信号波形は、図１１に表れているように、第１のアドレス情報記録部(13a)のものと第２のアドレス情報記録部(13b)のものとで、逆相となる。また、第２のアドレス情報記録部(13b)についてのトラック情報(TN)およびCRCのプッシュプル信号は、異なるトラック情報およびCRCが複合した波形となる。
【００６４】
したがって、正方向のシンク(SY)をトリガとしてゲートを一定期間開くことにより、図１１に表れているように、奇数番目のグルーブ（G・n),(G・n+2)については、第１のアドレス情報記録部(13a)に記録された、偶数番目のグルーブ(G・n-1),(G・n+1)については、第２のアドレス情報記録部(13b)に記録された、当該各グルーブについての適正なアドレス情報を検出することができることになる。
【００６５】
このように、第３の実施形態に係る光ディスクおよびそのアドレス情報検出方法によれば、トラックピッチが狭められたグルーブ記録用の光ディスクにおいて、トラックピッチより径の大きい集光ビームによって情報検出を行なう場合であっても、クロストークによる誤検出を軽減しつつ、適正にアドレス情報の検出をすることができる。
【００６６】
図１２は、本願発明に係る光ディスクの第４の実施形態を示している。この第４の実施形態は、上記した第３の実施形態の変形例である。すなわち、第１のアドレス情報記録部(13a)には、プリアンブル(PA)、シンク(SY)に後続して、フレーム情報(FN)およびバンド情報(BN)等からなる共通アドレス情報を記録することができ、さらにこれに後続してトラック情報(TN)およびCRC等からなる個別アドレス情報を記録することができる。また、第２のアドレス情報記録部(13b)には、リシンク(RS)に後続して、トラック情報(TN) およびCRC等からなる個別アドレス情報を記録することができる。そうして、たとえば、奇数番目のグルーブ（G・n),(G・n+2) については、第1アドレス情報記録部(13a)に上記した各情報が記録され、偶数番目のグルーブ(G・n-1),(G・n+1) については、第２のアドレス情報記録部(13b)に上記した各情報が記録される。シンク(SY)およびリシンク(RS)は、すべて、同一位相である。
【００６７】
図１３(a)は、奇数番目のグルーブ（G・n),(G・n+2)にトラックピッチより径の大きい集光スポット(S)を走査させた場合のプッシュプル出力信号波形および論理回路のタイミングチャートを示す。第２アドレス情報記録部(13b)については、第３の実施形態について上述したのと同様に、当該グルーブ（G・n),(G・n+2)の両隣のグルーブによるプッシュプル信号が出力される。また、この第２アドレス情報記録部(13b)からのプッシュプル出力波形は、不規則なものとなっている。両側に隣接するグルーブの個別アドレス情報が重なったものとなるからである。さらにシンク(SY)の波形とリシンク(RS)の波形とは、互いに逆位相となる。したがって、正方向のシンク(SY)をトリガとして適当期間アドレス検出ゲートを開けることにより、このシンク(SY)の後続領域に記録された、共通アドレス情報(FN),(BN)および個別アドレス情報(TN),(CRC)を適正に検出することができる。
【００６８】
図１３(b)は、偶数番目のグルーブ(G・n-1),(G・n+1)にトラックピッチより径の大きい集光スポット(S)を走査させた場合のプッシュプル出力信号波形および論理回路のタイミングチャートを示す。第１のアドレス情報記録部(13a)について、プリアンブル(PA)、シンク(SY)および共通アドレス情報(FN),(BN)についてのプッシュプル出力波形は、有意なものであるが、奇数番目のグルーブ（G・n),(G・n+2)についてのものに対して逆位相となる。当該グルーブ(G・n-1),(G・n+1)の両側のグルーブのウォブルによって検出されるものだからである。個別アドレス信号については、不規則な波形である。両側のグルーブの個別アドレス情報が重なったものとなるからである。一方、第２アドレス情報記録部(13b)については、リシンク(RS)および個別アドレス情報(TN)およびCRCが、当該グルーブの両ウォブルによって適正に検出される。そうして、シンク(SY)とリシンク(RS)とは、互いに逆位相であるから、これらを判別することが可能である。
【００６９】
したがって、シンク(SY)をトリガとして適当期間共通アドレス検出ゲートを開けることにより、第１のアドレス情報記録部(13a)に記録された共通アドレス情報(FN),(BN)を適正に検出することができるとともに、リシンク(RS)をトリガとして適当期間個別アドレス検出ゲートを開くことにより、第２のアドレス情報記録部(13b)に記録された個別アドレス情報(TN)およびCRCを適正に検出することができ、結局、当該グルーブ(G・n-1),(G・n+1)について検出するべきすべてのアドレス情報を適正に検出することができる。
【００７０】
この第４の実施形態についても、第３の実施形態について上述した、トラックピッチよりも径の大きな集光ビームによっても、クロストークの影響を減じた適正なアドレス情報検出を行なうことができるという基本的な利点を有するとともに、さらに、共通アドレス情報を第１のアドレス情報記録部(13a)にのみ含ませていることから、アドレス情報記録に用いるディスク上の領域を節約することができるという付加的な利点を享受することができる。
【００７１】
もちろん、この発明の範囲は上述した各実施形態に限定されるものではなく、各請求項に記載した事項の範囲内でのあらゆる変更は、すべて本願発明の範囲に含まれる。
【００７２】
たとえば、第１の実施形態では、共通アドレス情報(FN),(BN)を、第１〜第３個別アドレス情報記録部(6a)〜(6c)とは別に、まとめて記録しているが、この共通アドレス情報(FN),(BN)を、各個別アドレス情報記録部に含ませるようにすることも、もちろん可能である。
【００７３】
また、第１の実施形態および第２の実施形態において、個別アドレス情報記録部をグルーブ毎に３つ設け、これらの個別アドレス情報記録部のスタガ配置が３グルーブ毎に繰り返されるようにしているが、個別アドレス情報記録部を各グルーブに設ける数は、これに限られず、３つより多くすることもできる。
【００７４】
各請求項に記載した事項を含め、本明細書の記載に支持される本願発明の範囲を以下に付記する。
【００７５】
（付記１）グルーブによるトラックとランドによるトラックとが半径方向に交互に配置されて記録領域が形成されている一方、この記録領域は、半径方向に複数のバンドに分割されているとともに、同一バンド内において、周方向に複数のフレームに分割されており、かつ、各グルーブには、同相両ウォブルによって情報記録がなされたアドレス情報記録領域が形成されている光ディスクであって、
同一バンド内であって、同一フレーム内に配置された各グルーブは、次のように構成されていることを特徴とする、光ディスク。
(a)アドレス情報記録領域には、トラック方向に並んで配置された複数の個別アドレス  情報記録部を含んでいること、
(b)アドレス情報記録領域における上記複数の個別アドレス情報記録部の上流側に、上  記複数の個別アドレス情報記録部に記録された個別アドレス情報のうち、いずれを選択  するかを示すアドレス選択情報記録部が配置されていること。
（付記２）各グルーブにおいて、上記複数の個別アドレス情報記録部のうち２つを選択して、当該グルーブに対応する当該グルーブアドレス情報と、当該グルーブの半径方向一方側に隣接するグルーブに対応する一方側隣接グルーブアドレス情報とが記録されており、
一方側隣接グルーブアドレス情報が記録された個別アドレス情報記録部は、当該グルーブアドレス情報が記録された個別アドレス情報記録部に対し、トラック方向一方側にループ順にて隣接させられており、かつ、
当該グルーブの半径方向他方側に隣接するグルーブにおいて、当該グルーブに対応する当該グルーブアドレス情報が、当該グルーブにおける当該グルーブアドレス情報が記録された個別アドレス情報記録部と半径方向に隣接する個別アドレス情報記録部に記録されている、付記１に記載の光ディスク。
（付記３）各グルーブにおいて、各個別アドレス情報記録部の上流側に隣接してリシンクパターンが同相両ウォブルによって形成されており、かつ、当該グルーブアドレス情報または一方側隣接グルーブアドレス情報が記録されていない個別アドレス情報記録部に対応するリシンクパターンは、当該グルーブアドレス情報または一方側隣接グルーブアドレス情報が記録されている個別アドレス情報記録部に対応するリシンクパターンに対して、逆位相となっている、付記２に記載の光ディスク。
（付記４）当該グルーブアドレス情報または一方側隣接グルーブアドレス情報が記録されていない個別アドレス情報記録部には、当該グルーブアドレス情報または一方側隣接グルーブアドレス情報とは無関係な同相両ウォブルパターンが形成されている、付記３に記載の光ディスク。
（付記５）当該グルーブアドレス情報または一方側隣接グルーブアドレス情報とは無関係な同相両ウォブルパターンは、当該グルーブに対して半径方向他方側に隣接するグルーブに対応する他方側隣接グルーブアドレス情報が位相を反転して記録されたものである、付記４に記載の光ディスク。
（付記６）各グルーブにおけるアドレス情報記録領域の冒頭部分には、フレーム情報、バンド情報を含む共通アドレス情報が記録されている一方、複数の個別アドレス情報記録部には、少なくともトラック情報が記録されている、付記１ないし５のいずれかに記載の光ディスク。
（付記７）グルーブによるトラックがランドを挟んで半径方向に配置されて記録領域が形成されている一方、この記録領域は、半径方向に複数のバンドに分割されているとともに、同一バンド内において、周方向に複数のフレームに分割されており、かつ、各グルーブには、同相両ウォブルによって情報記録がなされたアドレス情報記録領域が形成された光ディスクであって、
同一バンド内であって、同一フレーム内に配置されたグルーブのアドレス情報記録領域には、トラック方向に並んで配置された、上流側の第１のアドレス情報記録部と下流側の第２のアドレス情報記録部とを含んでおり、
奇数番目のグルーブにおいては、当該グルーブに対応する当該グルーブアドレス情報が、第１のアドレス情報記録部と第２のアドレス情報記録部との一方に記録されており、
偶数番目のグルーブにおいては、当該グルーブに対応する当該グルーブアドレス情報が、第1のアドレス情報記録部と第２のアドレス情報記録部との他方に記録されており、かつ、
各アドレス情報記録部の上流側に隣接して、同相両ウォブルによるシンクパターンが、すべて同一位相に形成されていることを特徴とする、光ディスク。
（付記８）グルーブアドレス情報が記録された第１のアドレス情報記録部には、少なくともトラック情報を含む個別アドレス情報が記録されているとともに、この第１のアドレス情報記録部の上流側には、フレーム情報、バンド情報を含む共通アドレス情報が記録されている一方、グルーブアドレス情報が記録された第２のアドレス情報記録部には、少なくともトラック情報を含む個別アドレス情報が記録されている、付記７に記載の光ディスク。
（付記９）付記１に記載の光ディスクのアドレス情報を、グルーブに沿って集光ビームを走査させ、ラジアルプッシュプル法を用いて検出する方法であって、
個別アドレス情報記録部から検出された複数の個別アドレス情報のうち、１つの個別アドレス情報を、アドレス選択情報記録部から検出されたアドレス選択情報に基づいて選択することを特徴とする、光ディスクのアドレス情報検出方法。
（付記１０）付記１に記載の光ディスクのアドレス情報を、グルーブに沿って集光ビームを走査させ、ラジアルプッシュプル法を用いて検出するようにした光ディスク装置であって、個別アドレス情報記録部から検出された複数の個別アドレス情報のうち、１つの個別アドレス情報を、アドレス選択情報記録部から検出されたアドレス選択情報に基づいて選択するようにしたことを特徴とする、光ディスク装置。
（付記１１）付記３に記載の光ディスクのアドレス情報を、ランドに沿って集光ビームを走査させ、ラジアルプッシュプル法を用いて検出する方法であって、
当該ランドの両側隣接グルーブのリシンクパターンが協働して当該ランドの両側に形成する両ウォブル状のリシンクパターンによって得られる出力信号をトリガとして、このリシンクパターンに後続して、両隣接グルーブの同相両ウォブルが協働して当該ランドの両側に形成する同相両ウォブル状の個別アドレス情報を検出することを特徴とする、光ディスクのアドレス情報検出方法。
（付記１２）付記３に記載の光ディスクのアドレス情報を、ランドに沿って集光ビームを走査させ、ラジアルプッシュプル法を用いて検出するようにした光ディスク装置であって、
当該ランドの両側隣接グルーブのリシンクパターンが協働して当該ランドの両側に形成する両ウォブル状のリシンクパターンによって得られるリシンク出力信号をトリガとして、このリシンクパターンに後続して、両隣接グルーブの同相両ウォブルが協働して当該ランドの両側に形成する同相両ウォブル状の個別アドレス情報を検出するようにしたことを特徴とする、光ディスク装置。
（付記１３）付記７に記載の光ディスクのアドレス情報を、グルーブに沿ってグルーブ幅より大径の集光ビームを走査させ、ラジアルプッシュプル法を用いて検出する方法であって、
当該グルーブの両側隣接グルーブのシンクパターンを集光ビームがオーバラップして走査することによって得られるシンク出力信号に対して逆位相となる、当該グルーブのシンクパターンによって得られるシンク出力信号をトリガとして、このシンクパターンに後続するアドレス情報記録部に記録された当該グルーブアドレス情報を検出することを特徴とする、光ディスクのアドレス検出方法。
（付記１４）付記７に記載の光ディスクのアドレス情報を、グルーブに沿ってグルーブ幅より大径の集光ビームを走査させ、ラジアルプッシュプル法を用いて検出するようにした光ディスク装置であって、
当該グルーブの両側隣接グルーブのシンクパターンを集光ビームがオーバラップして走査することによって得られるシンク出力信号に対して逆位相となる、当該グルーブのシンクパターンによって得られるシンク出力信号をトリガとして、このシンクパターンに後続するアドレス情報記録部に記録された当該グルーブアドレス情報を検出するようにしたことを特徴とする、光ディスク装置。
【図面の簡単な説明】
【００７６】
【図１】本願発明の光ディスクの第１の実施形態を示す模式図である。
【図２】アドレス選択情報記録部のウォブルパターン例の説明図である。
【図３】リシンク部のウォブルパターン例およびプッシュプル信号の関係を示す説明図である。
【図４】図１に示す光ディスクのランドからのプッシュプル信号出力例を示す説明図である。
【図５】本願発明の光ディスクのための光ディスク装置の構成図である。
【図６】図１に示す光ディスクのグルーブからアドレス情報を検出する場合の信号処理を行なう論理回路のタイミングチャート例である。
【図７】図１に示す光ディスクのランドからアドレス情報を検出する場合の信号処理を行なう論理回路のタイミングチャート例である。
【図８】本願発明の光ディスクの第２の実施形態を示す模式図である。
【図９】図８に示す光ディスクのランドからのプッシュプル信号出力例を示す説明図である。
【図１０】本願発明の光ディスクの第３の実施形態を示す模式図である。
【図１１】図１０に示す光ディスクのグルーブからアドレス情報を検出するために信号処理を行なう論理回路のタイミングチャートである。
【図１２】本願発明の光ディスクの第４の実施形態を示す模式図である。
【図１３】図１２に示す光ディスクからアドレス情報を検出するために信号処理を行なう論理回路のタイミングチャートである。
【図１４】光ディスクの記録領域の平面分割構造を示す説明図である。
【図１５】トラック内の記録フォーマット例の説明図である。
【図１６】従来の光ディスクにおけるアドレスセグメント構造の説明図である。
【図１７】プッシュプル法による信号検出の説明図である。
【図１８】従来の光ディスクの同相両ウォブルによるアドレス記録例の説明図である。
【図１９】図１８に示す光ディスクのランドから得られるプッシュプル出力信号例の説明図である。
【図２０】狭トラックピッチでグルーブ記録される光ディスクの説明図である。
【符号の説明】
【００７７】
１          対物レンズ
２          １次回折光
３          検出器
４ａ〜４ｃ  アドレス領域部分
５          共通アドレス情報記録部
６ａ〜６ｂ  個別アドレス情報記録部
８          アドレス検出器
９          比較器
１０        アドレスマーク検出器
１１        論理回路
１２        検出器
１３ａ〜１３ｃ  アドレス情報記録部
Ｇ・ｘ      グルーブ
Ｌ・ｘ      ランド
Ｓ          集光スポット
【図１】
2005044481.tif 000003
【図２】
2005044481.tif 000004
【図３】
2005044481.tif 000005
【図４】
2005044481.tif 000006
【図５】
2005044481.tif 000007
【図６】
2005044481.tif 000008
【図７】
2005044481.tif 000009
【図８】
2005044481.tif 000010
【図９】
2005044481.tif 000011
【図１０】
2005044481.tif 000012
【図１１】
2005044481.tif 000013
【図１２】
2005044481.tif 000014
【図１３】
2005044481.tif 000015
【図１４】
2005044481.tif 000016
【図１５】
2005044481.tif 000017
【図１６】
2005044481.tif 000018
【図１７】
2005044481.tif 000019
【図１８】
2005044481.tif 000020
【図１９】
2005044481.tif 000021
【図２０】
2005044481.tif 000022
【手続補正書】
【提出日】平成15年8月1日(2003.8.1)
【手続補正１】
【補正対象書類名】図面
【補正対象項目名】全図
【補正方法】変更
【補正の内容】
【図１】
2005044481.tif 000023
【図２】
2005044481.tif 000024
【図３】
2005044481.tif 000025
【図４】
2005044481.tif 000026
【図５】
2005044481.tif 000027
【図６】
2005044481.tif 000028
【図７】
2005044481.tif 000029
【図８】
2005044481.tif 000030
【図９】
2005044481.tif 000031
【図１０】
2005044481.tif 000032
【図１１】
2005044481.tif 000033
【図１２】
2005044481.tif 000034
【図１３】
2005044481.tif 000035
【図１４】
2005044481.tif 000036
【図１５】
2005044481.tif 000037
【図１６】
2005044481.tif 000038
【図１７】
2005044481.tif 000039
【図１８】
2005044481.tif 000040
【図１９】
2005044481.tif 000041
【図２０】
2005044481.tif 000042